(57)【要約】【課題】所望の有機ＥＬ素子のみを効率よく加熱することを可能として電流効率を向上させた有機ＥＬ装置を提供すること。【解決手段】平面状に設けられた複数の画素領域を有し、画素領域のそれぞれに設けられた発光用有機ＥＬ素子２１と、発光用有機ＥＬ素子２１と対応した加熱用有機ＥＬ素子２２とを備え、発光用有機ＥＬ素子２１が加熱用有機ＥＬ素子２２から照射された光によって加熱される。【選択図】図２
2008084947.tif 000002
【特許請求の範囲】
【請求項１】
複数の画素領域が平面状に設けられた有機ＥＬ装置であって、
前記画素領域のそれぞれに設けられた発光用有機ＥＬ素子と、該発光用有機ＥＬ素子と対応して設けられた加熱用有機ＥＬ素子とを備え、
前記発光用有機ＥＬ素子が、前記加熱用有機ＥＬ素子から照射された光によって加熱されることを特徴とする有機ＥＬ装置。
【請求項２】
前記加熱用有機ＥＬ素子が、前記発光用有機ＥＬ素子に赤外線を含む光を照射することを特徴とする請求項１に記載の有機ＥＬ装置。
【請求項３】
前記発光用有機ＥＬ素子の駆動時に、該発光用有機ＥＬ素子と対応して設けられた前記加熱用有機ＥＬ素子を駆動させる駆動部を備えることを特徴とする請求項１または２に記載の有機ＥＬ装置。
【請求項４】
前記発光用有機ＥＬ素子が、一対の第１電極と、該一対の第１電極の間に配置された第１発光機能層とを備え、
前記加熱用有機ＥＬ素子が、一対の第２電極と、該一対の第２電極の間に配置された第２発光機能層とを備え
前記一対の第１電極の一方と前記一対の第２電極の一方とが、導通していることを特徴とする請求項１から３のいずれか１項に記載の有機ＥＬ装置。
【請求項５】
前記発光用有機ＥＬ素子が、一対の第１電極と、該一対の第１電極の間に配置された第１発光機能層とを備え、
前記加熱用有機ＥＬ素子が、前記一対の第１電極の一方と、第２電極と、前記一対の第１電極の一方及び前記第２電極の間に配置された第２発光機能層とを備えることを特徴とする請求項１から３のいずれか１項に記載の有機ＥＬ装置。
【請求項６】
前記発光用有機ＥＬ素子と前記加熱用有機ＥＬ素子との少なくとも一方に、該加熱用有機ＥＬ素子から前記発光用有機ＥＬ素子に向かう可視光を反射させる反射層が設けられていることを特徴とする請求項４または５に記載の有機ＥＬ装置。
【発明の詳細な説明】
【技術分野】
【０００１】
本発明は、有機ＥＬ（Electroluminescence：エレクトロルミネッセンス）素子を用いた有機ＥＬ装置に関する。
【背景技術】
【０００２】
ＥＬ素子は、自発光型の平面型表示素子としての用途が有望視されている。そして、ＥＬ素子の中でも有機ＥＬ素子は、無機ＥＬ素子とは異なり、交流駆動かつ高電圧が必要といった制約がなく、また、有機化合物の多様性により多色化が比較的容易であると考えられていることから、フルカラーディスプレイなどへの応用が期待され、盛んに研究開発が行われている。
このような有機ＥＬ素子の課題として、発光輝度の安定性や電流効率を向上させることが挙げられる。ここで、有機ＥＬ素子は、温度が高くなるにしたがって電流効率が向上するという特性を有している。すなわち、温度を高くすることにより、低い電流でも同等の発光輝度を得ることができる。そこで、各有機ＥＬ素子をヒータ上に積層した構成とし、ヒータによって有機ＥＬ素子を加熱することにより、有機ＥＬ素子の電流効率を向上させると共に各有機ＥＬ素子間の発光輝度のバラツキの抑制を図る有機ＥＬ素子が提案されている（例えば、特許文献１参照）。
【特許文献１】特開２００３−７４５６号公報
【発明の開示】
【発明が解決しようとする課題】
【０００３】
しかしながら、上記従来の有機ＥＬ装置においても、以下の課題が残されている。すなわち、上記従来の有機ＥＬ装置では、有機ＥＬ素子に積層されたヒータを加熱すると、加熱したヒータ上に積層された有機ＥＬのみでなく隣接する他の有機ＥＬ素子も加熱されるという問題がある。
【０００４】
本発明は、上記従来の問題に鑑みてなされたもので、所望の有機ＥＬ素子のみを効率よく加熱することを可能として電流効率を向上させた有機ＥＬ装置を提供することを目的とする。
【課題を解決するための手段】
【０００５】
本発明は、前記課題を解決するために以下の構成を採用した。すなわち、本発明にかかる有機ＥＬ装置は、複数の画素領域が平面状に設けられた有機ＥＬ装置であって、前記画素領域のそれぞれに設けられた発光用有機ＥＬ素子と、該発光用有機ＥＬ素子と対応して設けられた加熱用有機ＥＬ素子とを備え、前記発光用有機ＥＬ素子が、前記加熱用有機ＥＬ素子から照射された光によって加熱されることを特徴とする。
【０００６】
この発明では、発光用有機ＥＬ素子に光を照射して発光用有機ＥＬ素子を加熱するため、より確実に所望の画素領域に設けられた発光用有機ＥＬ素子のみを加熱することができる。
すなわち、加熱用有機ＥＬ素子から照射された光は、発光用有機ＥＬ素子において吸収され、熱に変換される。ここで、所望の画素領域に設けられた発光用有機ＥＬ素子に向けて加熱用有機ＥＬ素子から光を照射するため、加熱用有機ＥＬ素子と対応して設けられた所望の発光用有機ＥＬ素子のみが加熱される。したがって、有機ＥＬ装置の電流効率をさらに向上させることができる。
【０００７】
また、本発明にかかる有機ＥＬ装置は、前記加熱用有機ＥＬ素子が、前記発光用有機ＥＬ素子に赤外線を含む光を照射することが好ましい。
この発明では、発光用有機ＥＬ素子に対して赤外線を照射することにより、発光用有機ＥＬ素子の加熱を行う。
【０００８】
また、本発明にかかる有機ＥＬ装置は、前記発光用有機ＥＬ素子の駆動時に、該発光用有機ＥＬ素子と対応して設けられた前記加熱用有機ＥＬ素子を駆動させる駆動部を備えることが好ましい。
この発明では、駆動している発光用有機ＥＬ素子のみに対して加熱用の光を照射することで、消費電力を抑制することができる。
【０００９】
また、本発明にかかる有機ＥＬ装置は、前記発光用有機ＥＬ素子が、一対の第１電極と、該一対の第１電極の間に配置された第１発光機能層とを備え、前記加熱用有機ＥＬ素子が、一対の第２電極と、該一対の第２電極の間に配置された第２発光機能層とを備え前記一対の第１電極の一方と前記一対の第２電極の一方とが、導通していることが好ましい。
この発明では、各有機ＥＬ素子を構成する一対の電極の一方同士を導通させることにより、発光用有機ＥＬ素子の駆動に合わせて対応して設けられた加熱用有機ＥＬ素子を駆動させることが容易に行える。
【００１０】
また、本発明にかかる有機ＥＬ装置は、前記発光用有機ＥＬ素子が、一対の第１電極と、該一対の第１電極の間に配置された第１発光機能層とを備え、前記加熱用有機ＥＬ素子が、前記一対の第１電極の一方と、第２電極と、前記一対の第１電極の一方及び前記第２電極の間に配置された第２発光機能層とを備えることが好ましい。
この発明では、各有機ＥＬ素子を構成する一対の電極の一方を共通して用いることにより、発光用有機ＥＬ素子の駆動に合わせて対応して設けられた加熱用有機ＥＬ素子を駆動させることが容易に行える。ここで、一対の電極の一方を共通させることにより、有機ＥＬ装置の構造を単純化できる。
【００１１】
また、本発明にかかる有機ＥＬ装置は、前記発光用有機ＥＬ素子と前記加熱用有機ＥＬ素子との少なくとも一方に、該加熱用有機ＥＬ素子から前記発光用有機ＥＬ素子に向かう可視光を反射させる反射層が設けられていることが好ましい。
この発明では、加熱用有機ＥＬ素子で発光して発光用有機ＥＬ素子に向かう光のうち可視光成分を反射させることで、発光用有機ＥＬ素子の表示が劣化することを抑制できる。
【発明を実施するための最良の形態】
【００１２】
［第１の実施形態］
以下、本発明による有機ＥＬ装置の第１の実施形態を、図面に基づいて説明する。ここで、図１は有機ＥＬ装置の配線構造を示す回路構成図、図２は図１の画素領域を示す概略断面図である。なお、以下の説明に用いる各図面では、各部材を認識可能な大きさとするために、各部材の縮尺を適宜変更している。
【００１３】
〔有機ＥＬ装置〕
本実施形態における有機ＥＬ装置１は、図１に示すように、複数の画素領域Ａがマトリックス状に配置されており、複数の走査線１１と、走査線１１に対して交差する方向に延びる複数の信号線１２と、信号線１２と並列に延びる複数の電源線１３とを備えている。ここで、画素領域Ａは、走査線１１と信号線１２との交点部の近傍に形成されている。
また、有機ＥＬ装置１は、信号線１２に接続されたシフトレジスタ、レベルシフタ、ビデオライン及びアナログスイッチを備えるデータ線駆動回路１４と、走査線１１に接続されたシフトレジスタ及びレベルシフタを備える走査線駆動回路１５とを備えている。
【００１４】
そして、有機ＥＬ装置１は、複数の画素領域Ａのそれぞれに設けられた、スイッチング用のＴＦＴ（Thin Film Transistor：薄膜トランジスタ）素子１７と、ＴＦＴ素子１７を介して信号線１２から供給される画像信号を保持する保持容量１８と、保持容量によって保持された画像信号がＴＦＴ素子１７のゲート電極に供給される駆動用のＴＦＴ素子１９とを備えている。これらデータ線駆動回路１４、走査線駆動回路１５、ＴＦＴ素子１７、１９によって、駆動部が構成されている。
さらに、有機ＥＬ装置１は、複数の画素領域Ａのそれぞれに設けられた発光用有機ＥＬ素子２１と、発光用有機ＥＬ素子２１に光を照射して加熱する加熱用有機ＥＬ素子２２とを備えている。
【００１５】
これら発光用有機ＥＬ素子２１及び加熱用有機ＥＬ素子２２は、図２に示すように、基板２５の両面に設けられている。
発光用有機ＥＬ素子２１は、基板２５の一面に設けられており、基板２５上から順に、陽極層（一対の第１電極の一方）３１、発光機能層（第１発光機能層）３２、陰極層（一対の第１電極の他方）３３及びガスバリア層３４を積層した構成となっている。
基板２５は、例えばガラスなどの絶縁性を有する透光性材料を基体として構成されている。そして、基板２５は、上記基体の一面に形成された信号線１２、走査線１１及び電源線１３やＴＦＴ素子１７、１９、層間絶縁膜や平坦化膜（図示略）などを備えている。
【００１６】
陽極層３１は、例えばＩＴＯ（Indium Tin Oxide：酸化インジウムスズ）などの透光性の導電材料で構成された膜と、例えばＡｌなどの導電性を有し可視光を反射する反射膜とを積層して構成されている。したがって、陽極層３１は、可視光を反射する反射層として機能する。そして、陽極層３１は、ＴＦＴ素子１９を介して電源線１３に接続されており、この電源線１３から駆動電流が供給される。
また、陽極層３１は、各画素領域Ａで絶縁するように離間して設けられている。そして、陽極層３１上には、各画素領域Ａを区画するための隔壁（図示略）が設けられている。
【００１７】
発光機能層３２は、陽極層３１上から順に、正孔注入層３５及び発光層３６を積層した構成となっている。
正孔注入層３５は、例えば３，４−ポリエチレンジオキシチオフェン（ＰＥＤＯＴ）などのポリチオフェン誘導体とポリスチレンスルホン酸（ＰＳＳ）などの混合物（ＰＥＤＯＴ／ＰＳＳ）などの正孔注入材料によって構成されており、陽極層３１から注入した正孔を発光層３６に輸送する。
なお、正孔注入材料としては、ＰＥＤＯＴ／ＰＳＳのほか、ポリテトラヒドロチオフェニルフェニレンであるポリフェニレンビニレン、１，１−ビス−（４−Ｎ，Ｎ−ジトリルアミノフェニル）シクロヘキサン、トリス（８−ヒドロキシキノリノール）アルミニウム、ポリスチレンスルホン酸を用いてもよい。
【００１８】
発光層３６は、発光材料によって構成されており、陰極層３３から注入される電子と正孔注入層３５から注入される正孔とが結合して所定波長の光を発光する。ここで、発光材料としては、ポリフルオレン誘導体（ＰＦ）やポリパラフェニレンビニレン誘導体（ＰＰＶ）、ポリパラフェニレン誘導体（ＰＰＰ）、ポリビニカルバゾール（ＰＶＫ）、ポリチオフェン誘導体、ポリメチルフェニルシラン（ＰＭＰＳ）などのポリシラン系などの高分子有機材料を用いることができる。
【００１９】
陰極層３３は、陽極層３１と同様に透光性を有する導電性材料によって構成されている。また、陰極層３３は、上記隔壁上にも設けられることにより、各画素電極で導通している。
ガスバリア層３４は、例えば無機化合物で構成されており、陰極層３３や発光機能層３２への酸素や水分の侵入を防止、酸素や水分による陰極層３３や発光機能層３２の劣化などを抑制する。ここで、無機化合物としては、珪素窒化物や珪素酸窒化物、珪素酸化物などの珪素化合物や、アルミナや酸化タンタル、酸化チタンなどのセラミックス材料などが挙げられる。
以上より、発光用有機ＥＬ素子２１は、発光機能層３２で発生した光をガスバリア層３４側から出射させる、トップエミッション構造となっている。
【００２０】
また、加熱用有機ＥＬ素子２２は、基板２５の他面に設けられており、発光用有機ＥＬ素子２１と同様に、基板２５上から順に、陽極層（一対の第２電極の一方）４１、発光機能層（第２発光機能層）４２、陰極層（一対の第２電極の他方）４３及びガスバリア層４４を積層した構成となっている。
陽極層４１は、上述した陽極層３１と同様に、ＩＴＯ膜と反射膜とを積層して構成されている。したがって、陽極層４１は、可視光を反射させる反射層として機能する。そして、陽極層４１は、陽極層３１と導通することによってＴＦＴ素子１９を介して電源線１３に接続されており、この電源線１３から駆動電流が供給される。また、陽極層４１は、各画素領域Ａで絶縁するように離間して設けられている。
【００２１】
発光機能層４２は、陽極層４１上から順に、正孔注入層４５及び発光層４６を積層した構成となっている。
正孔注入層４５は、上述した正孔注入層３５と同様に、正孔注入材料で構成されており、陽極層４１から注入した正孔を発光層４６に輸送する。
発光層４６は、上述した発光層３６と同様に、例えば下記の［化１］など発光材料によって構成されており、陰極層４３から注入される電子と正孔注入層４５から注入される正孔とが結合して所定波長の光を発光する。ここで、［化１］の溶媒（テトラヒドロフラン）に対する溶液状態における蛍光スペクトルのピーク波長は、６５６ｎｍとなっており、発光する光の波長帯域に赤外線の帯域が含まれている。
【００２２】
【化１】
2008084947.tif 000003
【００２３】
なお、発光材料としては、上述した発光層３６と同様の発光材料を用いてもよい。
【００２４】
陰極層４３は、発光層４６の上面から順にＬｉＦ（フッ化リチウム）層、Ｃａ（カルシウム）層及びＡｌ層を積層した構成となっている。これにより、陰極層４３は、発光機能層４２から陰極層４３に向けて進行する光のうち可視光成分を陽極層４１に向けて反射する。これにより、加熱用有機ＥＬ素子２２は、発光機能層４２で発生した光を陽極層４１及び陰極層４３の間で閉じ込める構成となる。また、陰極層４３は、各画素電極で導通するように設けられている。
ガスバリア層４４は、上述したガスバリア層３４と同様に、例えば無機化合物で構成されており、陰極層４３や発光機能層４２への酸素や水分の侵入を防止、酸素や水分による陰極層４３や発光機能層４２の劣化などを抑制する。
以上より、加熱用有機ＥＬ素子２２は、各画素領域Ａに設けられていると共に、発光用有機ＥＬ素子２１ごとにそれぞれ別個に対応して設けられている。
【００２５】
以上のような構成の有機ＥＬ装置１では、走査線１１が駆動されてスイッチング用のＴＦＴ素子１７がオン状態となると、そのときの信号線１２の電位が保持容量１８に保持され、保持容量１８の状態に応じて駆動用のＴＦＴ素子１９のオン・オフ状態が決まる。そして、ＴＦＴ素子１９のチャネルを介して、電源線１３から陽極層３１に電流が流れ、さらに発光機能層３２を介して陰極層３３に電流が流れる。これにより、発光機能層３２は、発光機能層３２中を流れる電流量に応じて発光する。そして、発光用有機ＥＬ素子２１のガスバリア層３４から発光用有機ＥＬ素子２１で発光した光が出射する。
【００２６】
また、加熱用有機ＥＬ素子２２の陽極層４１が発光用有機ＥＬ素子２１の陽極層３１と導通しているため、加熱用有機ＥＬ素子２２が上述した駆動部によって発光用有機ＥＬ素子２１と同時に駆動される。そのため、陽極層４１にはＴＦＴ素子１９のチャネルを介して、電源線１３から陽極層４１に電流が流れ、さらに発光機能層４２を介して陰極層４３に電流が流れる。これにより、発光機能層４２は、発光機能層４２中を流れる電流量に応じて発光する。このとき、発光機能層４２を構成する発光層４６の発光材料として上記［化１］を用いているので、加熱用有機ＥＬ素子２２は赤外線を含む光を発光する。なお、加熱用有機ＥＬ素子２２は、発光用有機ＥＬ素子２１の非駆動時には駆動されない。
【００２７】
ここで、陽極層３１、４１に赤外線を吸収する反射膜がそれぞれ設けられているため、発光機能層４２から陽極層３１、４１に向かう光は、陽極層３１、４１で吸収され、熱に変換される。これにより、発光用有機ＥＬ素子２１が加熱される。
図３に、発光用有機ＥＬ素子２１の温度と電流効率との関係を示す。なお、図３では、２０℃における電流効率を１としたときの相対的な値を示している。図３に示すように、発光用有機ＥＬ素子２１は、加熱されることで温度が上がるほど、電流効率が向上することがわかる。したがって、発光用有機ＥＬ素子２１を加熱することで、電流効率が向上し、小さな電流量でも大きな輝度の発光が行われる。
また、陽極層３１、４１を構成する反射膜が可視光を反射するので、加熱用有機ＥＬ素子２２で発光した光が発光用有機ＥＬ素子２１のガスバリア層３４から出射することを防止する。これにより、発光用有機ＥＬ素子２１による表示が、加熱用有機ＥＬ素子２２における発光の影響を受けにくくなる。
【００２８】
〔電子機器〕
以上のような構成の有機ＥＬ装置１は、例えば図４に示すようなノート型パーソナルコンピュータ５０などの電子機器の表示部５１として適用される。このノート型パーソナルコンピュータ５０は、キーボード５２を有する本体部５３と、上記表示部５１とを備えている。
また、有機ＥＬ装置１は、例えば図４（ｂ）に示すような携帯電話機６０の表示部６１として適用することもできる。この携帯電話機６０は、複数の操作ボタン６２、受話口６３、送話口６４及び上記表示部６１を有する本体部６５を備えている。
【００２９】
以上のように、本実施形態における有機ＥＬ装置１によれば、発光用有機ＥＬ素子２１に向けて光を照射して熱に変換することによって発光用有機ＥＬ素子２１を加熱するため、所望の画素領域Ａに設けられた発光用有機ＥＬ素子２１のみをより確実に加熱することができる。ここで、各画素領域Ａにそれぞれ加熱用有機ＥＬ素子２２を設けているので、所望の発光用有機ＥＬ素子２１のみを確実に加熱することができる。
また、加熱用有機ＥＬ素子２２で発光して発光用有機ＥＬ素子２１に向かう光のうち可視光成分を反射させることで、発光用有機ＥＬ素子２１による表示が加熱用有機ＥＬ素子２２における発光の影響を受けにくくなる。
さらに、陽極層３１、４１を導通させることで、駆動している発光用有機ＥＬ素子２１に合わせて加熱用有機ＥＬ素子２２を駆動させることを容易に行うことができる。そして、駆動している発光用有機ＥＬ素子２１のみに対して光を照射するので、消費電力を抑制できる。
【００３０】
［第２の実施形態］
次に、本発明による有機ＥＬ装置の第２の実施形態を、図面に基づいて説明する。ここで、図５は、有機ＥＬ装置の画素領域を示す概略断面図である。なお、本実施形態では、第１の実施形態と発光用有機ＥＬ素子及び加熱用有機ＥＬ素子の積層構造が異なるため、この点を中心に説明すると共に、上記実施形態で説明した構成要素には同一符号を付し、その説明を省略する。
【００３１】
本実施形態における有機ＥＬ装置では、加熱用有機ＥＬ素子２２及び発光用有機ＥＬ素子２１がこの順で基板２５の一面に積層されている。
加熱用有機ＥＬ素子２２は、基板２５側から、陰極層４３、発光機能層４２及び陽極層３１の順で積層した構成となっている。また、発光用有機ＥＬ素子２１は、基板２５側から、陽極層３１、発光機能層３２、陰極層３３及びガスバリア層３４の順で積層した構成となっている。すなわち、発光用有機ＥＬ素子２１と加熱用有機ＥＬ素子２２とは、各発光機能層３２、４２を挟持する一対の電極のうちの一方である陽極層３１を共通して用いている。
したがって、加熱用有機ＥＬ素子２２は、上述した駆動部によって発光用有機ＥＬ素子２１と同時に駆動される。
また、発光用有機ＥＬ素子２１は、発光機能層３２で発生した光をガスバリア層３４側から出射させる、トップエミッション構造となっている。
【００３２】
以上のように、本実施形態における有機ＥＬ装置においても、上述と同様の作用、効果を奏するが、発光用有機ＥＬ素子２１と加熱用有機ＥＬ素子２２とで陽極層３１を共通して用いることにより、有機ＥＬ装置の構造を単純化することができる。
【００３３】
［第３の実施形態］
次に、本発明による有機ＥＬ装置の第３の実施形態を、図面に基づいて説明する。ここで、図６は、有機ＥＬ装置の画素領域を示す概略断面図である。なお、本実施形態では、第１の実施形態と発光用有機ＥＬ素子及び加熱用有機ＥＬ素子の積層構造が異なるため、この点を中心に説明すると共に、上記実施形態で説明した構成要素には同一符号を付し、その説明を省略する。
【００３４】
本実施形態における有機ＥＬ装置では、発光用有機ＥＬ素子２１及び加熱用有機ＥＬ素子２２がこの順で基板２５の一面に積層されている。
発光用有機ＥＬ素子２１は、基板２５側から順に、陰極層３３、発光機能層３２及び陽極層３１の順で積層した構成となっている。また、加熱用有機ＥＬ素子２２は、基板２５側から、陽極層３１、発光機能層４２、陰極層４３及びガスバリア層４４の順で積層した構成となっている。すなわち、上述した第２の実施形態と同様に、発光用有機ＥＬ素子２１と加熱用有機ＥＬ素子２２とは、各発光機能層３２、４２を挟持する一対の電極のうちの一方である陽極層３１を共通して用いている。
これにより、加熱用有機ＥＬ素子２２は、上述した駆動部によって発光用有機ＥＬ素子２１と同時に駆動される。
また、発光用有機ＥＬ素子２１は、発光機能層３２で発生した光を基板２５側から出射させる、ボトムエミッション構造となっている。
【００３５】
以上のように、本実施形態における有機ＥＬ装置においても、上述した第２の実施形態と同様の作用、効果を奏する。
【００３６】
なお、本発明は上記実施形態に限定されるものではなく、本発明の趣旨を逸脱しない範囲において種々の変更を加えることが可能である。
例えば、第１の実施形態では、両有機ＥＬ素子の陽極層を基板側に設けた構成となっているが、陰極層を基板側に設けた構成としてもよく、一方の陽極層及び他方の陰極層を基板側に設ける構成としてもよい。また、第２及び第３の実施形態では、両有機ＥＬ素子の陽極層を共通としているが、陰極層を共通とする構成としてもよい。
また、第１の実施形態では、両有機ＥＬ素子の陽極層を導通させているが、導通させずに、それぞれ独立して制御する構成としてもよい。
そして、両有機ＥＬ素子の陽極層を反射層として機能させているが、反射層を別途設ける構成としてもよい。また、発光用有機ＥＬ素子による表示が加熱用有機ＥＬ素子で発生した光の影響を受けにくいのであれば、反射層を設けない構成としてもよい。
【００３７】
また、両有機ＥＬ素子を駆動部に接続することによって発光用有機ＥＬ素子の駆動時に加熱用有機ＥＬ素子が駆動するように構成しているが、それぞれ別個に駆動の制御を行うことによって発光用有機ＥＬ素子の駆動時に加熱用有機ＥＬ素子が駆動する構成としてもよく、発光用有機ＥＬ素子の駆動時に加熱用有機ＥＬ素子が駆動されていれば同時に駆動しない構成としてもよい。
そして、各画素領域で発光用有機ＥＬ素子に対してそれぞれ加熱用有機ＥＬ素子を設けているが、複数の発光用有機ＥＬ素子に対して１つの加熱用有機ＥＬ素子を設けた構成としてもよく、複数の加熱用有機ＥＬ素子に対して１つの発光用有機ＥＬ素子を設けた構成としてもよい。
【００３８】
また、発光機能層は、正孔注入層及び発光層を積層した構成となっているが、発光層のみで構成されてもよく、発光層と陰極層との間に電子注入層や電子輸送層、正孔阻止層を積層した構成としてもよい。ここで、この電子注入層や電子輸送層は、陰極層から電子を陽極層の方向へ進めて電子を通す機能を有している。また、正孔阻止層は、正孔が陰極層の方向へ進行することを防止する機能を有している。同様に、発光層と陽極層との間に電子阻止層を積層した構成としてもよい。ここで、この電子阻止層は、電子が陽極層の方向へ進行することを防止する機能を有している。
さらに、発光機能層が正孔注入層を有しているが、正孔注入層に代えて正孔注入輸送層または正孔輸送層が設けられた構成としてもよい。
【００３９】
また、有機ＥＬ装置を備える電子機器としては、ノート型パーソナルコンピュータや携帯電話機に限らず、ＰＤＡ（Personal Digital Assistant：携帯情報端末機）やパーソナルコンピュータ、ワークステーション、デジタルスチルカメラ、車載用モニタ、カーナビゲーション装置、デジタルビデオカメラ、テレビジョン受像機、ビューファインダ型あるいはモニタ直視型のビデオテープレコーダ、ページャ、電子手帳、電卓、電子ブックやプロジェクタ、ワードプロセッサ、テレビ電話機、ＰＯＳ端末、タッチパネルを備える機器、照明装置、プリンタの露光ヘッドなどのような他の電子機器であってもよい。
【図面の簡単な説明】
【００４０】
【図１】第１の実施形態における有機ＥＬ装置を示す回路構成図である。
【図２】図１の画素領域を示す断面図である。
【図３】環境温度と電流効率との関係を示すグラフである。
【図４】有機ＥＬ装置を備える電子機器を示す外観図である。
【図５】第２の実施形態における有機ＥＬ装置の画素領域を示す断面図である。
【図６】第３の実施形態における有機ＥＬ装置の画素領域を示す断面図である。
【符号の説明】
【００４１】
１  有機ＥＬ装置、２１  発光用有機ＥＬ素子、２２  加熱用有機ＥＬ素子、２５  基板、３１  陽極層（一対の第１電極の一方，反射層）、３２  発光機能層（第１発光機能層）、３３  陰極層（一対の第１電極の他方）、４１  陽極層（一対の第２電極の一方）、４２  発光機能層（第２発光機能層）、４３  陰極層（一対の第２電極の他方，反射層）
【図１】
2008084947.tif 000004
【図２】
2008084947.tif 000005
【図３】
2008084947.tif 000006
【図４】
2008084947.tif 000007
【図５】
2008084947.tif 000008
【図６】
2008084947.tif 000009